(57)【要約】  【課題】  片手でトイレットペーパーを切断できるトイレットペーパーホルダーにおいて、簡易な構成で、途中で切れること抑制することを課題とする。  【解決手段】  トイレットペーパーホルダーとして、トイレットペーパーの端部前縁が前面に向かい、かつ、下方に位置するように、トイレットペーパーを回動自在に保持するトイレットペーパー保持部と、前記トイレットペーパー保持部から引き出されるトイレットペーパーを片手で握ることができる幅に絞る絞り部と、前記絞り部により絞られたトイレットペーパーを切断するための切断歯よりなる切断部とを設ける。【選択図】  図１
2007014363.tif 000002
【特許請求の範囲】
【請求項１】
トイレットペーパーの端部前縁が前面に向かい、かつ、下方に位置するように、トイレットペーパーを回動自在に保持するトイレットペーパー保持部と、
前記トイレットペーパー保持部から引き出されるトイレットペーパーを片手で握ることができる幅に絞る絞り部と、
前記絞り部により絞られたトイレットペーパーを切断するための切断歯よりなる切断部と
を有するトイレットペーパーホルダー。
【請求項２】
前記トイレットペーパー保持部は、トイレットペーパーを下方から支持する支持板と背面への移動を規制する背面板とにより形成される請求項１に記載のトイレットペーパーホルダー。
【請求項３】
前記絞り部は所定の幅を有する上面が開放された溝により形成されるものであって、この上面が表出するように前記トイレットペーパー保持部から突出するものである請求項１又は２に記載のトイレットペーパーホルダー。
【請求項４】
前記絞り部は、所定の幅を有する溝により形成されるものであり、ロール状のトイレットペーパーとここから引き出されるトイレットペーパーとの接線の位置から前記溝の入り口までの距離が、少なくともトイレットペーパーの幅の２分の１以上設けられるものである請求項１から３のいずれか１項に記載のトイレットペーパーホルダー。
【請求項５】
前記絞り部は、所定の幅を有する溝により形成されるものであり、当該溝のトイレットペーパー側に向って幅が広くなるように形成されている請求項１から４のいずれか1項に記載のトイレットペーパーホルダー。
【発明の詳細な説明】
【技術分野】
【０００１】
本発明は、トイレットペーパーを保持するホルダーに関するものであり、特に、片手でトイレットペーパーを切断することができるトイレットペーパーホルダーに関する。
【背景技術】
【０００２】
一般的なトイレットペーパーホルダーでは、上方の蓋部分の縁部でトイレットペーパーを抑えて、この縁部に沿ってトイレットペーパーを切断するようになっている。このために、トイレットペーパーを切断するためには、片方の手で蓋部分を押さえて、もう片方の手でトイレットペーパーを切断するという作業をすることになり、両手での作業を余儀なくされていた。
これは、蓋部分が上方に移動するために抑える作業が必要になることが原因であり、これに対処するために、例えば、下記特許文献１に記載される発明のように下方に固定した縁部を設けることで、これに押し当てて切断するようにすることが考えられる。しかし、このような構成でも、力の加減や勢いなどの違いにより、トイレットペーパーが切断されずに、トイレットペーパーが繰り出されてしまうことも多い。これを解決するものとして、下記特許文献２には、下方に固定した縁部を設けるとともに、上蓋により、一定の重さをかけて上方からこの縁部とトイレットペーパーを挟持する固定することで、安定してトイレットペーパーを片手で切断することができるようにする技術が示されている。  
【特許文献１】特開２０００−１４５９４号公報
【特許文献２】特許第３２１８４６４号公報
【発明の開示】
【発明が解決しようとする課題】
【０００３】
しかし、上記特許文献２に記載の方法によると、構造が複雑になり、また、長くトイレットペーパーを水平に引き出してから切断するとトイレットペーパーが途中で切れてしまう可能性も高い。
本発明は、このような問題に鑑みて、片手でトイレットペーパーを切断できるトイレットペーパーホルダーにおいて、簡易な構成で、途中で切れること抑制することを課題とする。
【課題を解決するための手段】
【０００４】
上記課題を解決するために、本発明は次のような構成を有する。
請求項１に記載の発明は、トイレットペーパーの端部前縁が前面に向かい、かつ、下方に位置するように、トイレットペーパーを回動自在に保持するトイレットペーパー保持部と、前記トイレットペーパー保持部から引き出されるトイレットペーパーを片手で握ることができる幅に絞る絞り部と、前記絞り部により絞られたトイレットペーパーを切断するための切断歯よりなる切断部とを有するトイレットペーパーホルダーである。なお、「片手で握ることができる幅」とは想定される使用者の片手を基準に定められ、この使用者の親指の付け根から第二関節までの長さよりも短い幅が想定される。
請求項２に記載の発明は、前記トイレットペーパーホルダーにおいて、前記トイレットペーパー保持部は、トイレットペーパーを下方から支持する支持板と背面への移動を規制する背面板とにより形成されるものである。
【０００５】
請求項３に記載の発明は、前記トイレットペーパーホルダーにおいて、前記絞り部が所定の幅を有する上面が開放せれた溝により形成されるものであり、この上面が表出するように前記トイレットペーパー保持部から突出するものである。
請求項４に記載の発明は、前記トイレットペーパーホルダーにおいて、前記絞り部は、所定の幅を有する溝により形成されるものであり、ロール状のトイレットペーパーとここから引き出されるトイレットペーパーとの接線の位置から、即ち、ロール状のトイレットペーパーとシート状のトイレットペーパーとの境から、前記溝の入り口までの距離が、少なくともトイレットペーパーの幅の３分の１以上設けられるものである。
請求項５に記載の発明は、前記トイレットペーパーホルダーにおいて、前記絞り部は、所定の幅を有する溝により形成されるものであり、当該溝のトイレットペーパー側に向って幅が広くなるように形成されているものである。
【発明の効果】
【０００６】
請求項１に記載の発明は、絞り部により絞られたトイレットペーパーを引き出すので、片手で握って引き出すことができるとともに、折れ曲がった際に引出方向への抵抗力が非常に強くなるので、引き出したトイレットペーパーを切断部で切断する際に、さらに引き出されること無く切断することができる。即ち、切断の際にトイレットペーパーが引き出されないようにする抵抗を紙を絞ることにより得ることで構成を簡易にすることができる。また、トイレットペーパーを絞ることで、途中で簡易に千切れないようにすることができる。
請求項２に記載の発明は、トイレットペーパー保持部を支持板と背面板とにより構成することで、置くだけで、簡単にトイレットペーパーの端部前縁が前面に向かい、かつ、下方に位置するようにトイレットペーパーを設置することができる。
【０００７】
請求項３に記載の発明は、ロール状のトイレットペーパーから引き出されたトイレットペーパーの一部が切断部に切断された後に、トイレットペーパー保持部から突出する上面が開放された溝内に残るので、トイレットペーパーの端部を容易に見つけることができ、使用者の使用時の作業効率を上げることができる。  
請求項４に記載の発明は、、絞りを開始する位置をトイレットペーパーがロールを形成する位置からトイレットペーパーの幅の３分の１以上離すことで、絞るための抵抗を少なくし、スムーズなトイレットペーパーの引き出しを実現することができる。即ち、トイレットペーパーがロールを形成している部分では幅方向に絞ることは抵抗が大きく、絞りを開始する位置がトイレットペーパーがロールを形成する位置に近すぎると絞る際の抵抗が過大となるので、絞りを開始する位置まで所定以上の距離を設けることで、この抵抗を小さくしている。
請求項５に記載の発明は、トイレットペーパーを絞り部を形成する溝の入り口部分で急な角度で絞るのではなく、緩やかに絞ることで、やはりトイレットペーパーを絞る際の抵抗を少なくして、トイレットペーパーをスムーズに引き出すことができる。
【発明を実施するための最良の形態】
【０００８】
以下、本発明の実施形態について、図面を参照しながら説明する。
図１に実施形態に係るトイレットペーパーホルダーＸの蓋体を開けた状態を表す斜視図を示し、図２にトイレットペーパーホルダーＸの正面図を示し、図３にトイレットペーパーホルダーＸのトイレットペーパーを保持した状態における縦断面図を示す。トイレットペーパーホルダーＸはトイレットペーパー保持部１０と、絞り部２０と、切断部３０とから構成される。
トイレットペーパー保持部１０は、トイレットペーパーを下方から支持するトイレットペーパーの幅よりやや広い幅を持ち、トイレットペーパーの直径よりもやや大きな奥行きを持つ支持板１１と、支持板１１の背面側に立設する背面板１２と、支持板１１及び背面板１２の両側面を塞ぐ側面板１３、１３と、背面板１２の上縁に回動可能に固定され、側面板１３、１３のそれぞれの上縁及び前縁に当接してトイレットペーパー保持部１０内部のトイレットペーパーを覆う蓋体１４とから構成される。支持板１１の前端から約３分の１の位置から背面板１２に至る部分は、ほぼ市販される平均的なトイレットペーパーの外周の曲面に合致する曲面に形成されている。また、背面板１２の上方には２個のネジを通すための取り付け穴１２ａが形成されている。蓋体１４にはほぼ中央に内部を観察することができる長穴１４ａが設けられ、前面の下縁中央には蓋体１４を開ける際に指を掛けるための切り欠き１４ｂが形成されている。
【０００９】
絞り部２０は、トイレットペーパーの幅の約３分の１の幅を有する上面が開放した断面コの字状の溝により形成される。絞り部２０をこの幅に形成することにより、平均的な日本人であれば簡単に握ることができる幅にトイレットペーパーを絞ることができる。絞り部２０は、トイレットペーパー保持部１０の支持板１１の前縁中央から突出するように設けられる。また、絞り部２０を構成する溝の側板の背面側の縁部と、支持板１１の絞り部２０が設けられた部分以外の前縁とを塞ぐように短冊状の隠し板２０ａ、２０ａが、絞り部２０の付け根の左右に設けられている。図４に、絞り部２０及び隠し板２０ａ、２０ａ部分の拡大平面図を示す。図に示すように絞り部２０は背面側に向って幅が広くなるように形成されている。また、絞り部２０の付け根の位置は図３に示すように、トイレットペーパー保持部１０内部に設置される市販の平均的なロール状のトイレットペーパーとここから引き出されるトイレットペーパーとの接線の位置から、ほぼトイレットペーパーの半径の長さに設定されている。なお、この長さは、トイレットペーパーの幅の約２分の１である。
切断部３０は、金属製の前端が複数の山形に形成された歯を有するステンレス製の切断歯により形成され、絞り部２０の底板の前縁に固定されている。
【００１０】
次に、以上のような構成を有するトイレットペーパーホルダーＸの使用方法について説明する。なお、トイレットペーパーホルダーＸは背面板の取り付け穴１２を介してトイレの適当な壁面に固定されているものとする。まず、使用者はトイレットペーパー保持部１０の蓋体１４を開けて、トイレットペーパーの端部前縁が前方を向き、かつ、下方に位置するように支持板１１の上に置く。そして、トイレットペーパーを若干引き出して、引き出したトイレットペーパーを幅方向に握りつぶすように絞って絞り部２０を構成する溝の内部へ入れる。その後、蓋体１４を閉めると図５の斜視図に示すような状態となり、トイレットペーパーのセットが完了する。この状態で、トイレットペーパーを使用するには、まず、絞り部２０の溝内部に位置するトイレットペーパーの端部をほぼ水平方向に引き出す。この際、トイレットペーパーの幅が約３分の１に絞られており、皺になっているため強度を増していることから、トイレットペーパーを片手で簡単に握って引張り出すことができる。これにより、トイレットペーパーは幅の狭い溝により形成される絞り部２０を通る際に皺になりながら幅方向が絞られつつ引き出されることになる。この際、ロール状のトイレットペーパーとここから引き出されるトイレットペーパーとの接線の位置から絞り部２０までの距離をある程度設けてあり、また、絞り部２０の溝の背面側を背面に向って幅が広くなるように形成しているので、スムーズにトイレットペーパーは絞り部２０により絞られる。そして、適当な長さまでトイレットペーパーを引き出したなら、この状態で、トイレットペーパーを切断部３０を構成する切断歯に押し当てるために、ほぼ、垂直下方にトイレットペーパーを引く。絞られて皺になったトイレットペーパーは切断部３０でほぼ垂直に曲げられることで、引き出す際の抵抗が大きくなるために、垂直下方へトイレットペーパーを引くことにより、トイレットペーパーは切断部３０の位置からさらに引き出されることなく、切断部３０により切断されることになる。また、切断部３０から先は絞られて皺になっているために強度が増しているので、途中で切れることもほとんどない。そして、切断後のトイレットペーパーの端部は絞り部２０内に位置するので、次回の使用時にトイレットペーパーの端部を探す手間がなくなる。
【００１１】
なお、上記実施形態において、トイレットペーパーが硬い等の場合には、絞り部２０を構成する溝から上方へトイレットペーパーが移動し、蓋体１４の前縁と、絞り部２０の隠し板２０ａ、２０ａの上縁との間にトイレットペーパーが広がってしまう場合がある。これを避けるために、例えば、溝の基端部上縁に蓋を設けたり、図６のトイレットペーパーホルダーＸの隠し板２０ａ部分で切断した縦断面図に示すように、隠し板２０ａの上縁に段差２０ａａを設け、この段差２０ａａと蓋体１４との前縁とが係合するようにする等してもよい。蓋体１４と係合する段差２０ａａを設けるようにすれば、絞り部２０を構成する溝から上方へトイレットペーパーが移動しても、段差２０ａａによりトイレットペーパーは横へ広がることができず、トイレットペーパーを絞られた状態を保持することができる。
【図面の簡単な説明】
【００１２】
【図１】実施形態に係るトイレットペーパーホルダーの蓋体を開けた状態を示す斜視図である。
【図２】実施形態に係るトイレットペーパーホルダーの正面図である。
【図３】実施形態に係るトイレットペーパーホルダーのトイレットペーパーを保持した状態における縦断面図である。
【図４】絞り部及び隠し板部分の拡大平面図である。
【図５】実施形態に係るトイレットペーパーホルダーのトイレットペーパーをセットした状態を示す斜視図である。
【図６】隠し板部分の変形例を示す、トイレットペーパーホルダーの隠し板を通る位置で切断した縦断面図である。
【符号の説明】
【００１３】
Ｘ  トイレットペーパーホルダー
１０  トイレットペーパー保持部
１１  支持板
１２  背面板
１３  側板
１４  蓋体
２０  絞り部
２１  切断部
【図１】
2007014363.tif 000003
【図２】
2007014363.tif 000004
【図３】
2007014363.tif 000005
【図４】
2007014363.tif 000006
【図５】
2007014363.tif 000007
【図６】
2007014363.tif 000008